(57)【要約】【課題】画素に対応する補助容量に複数のレベルの出力値を有して振動する補助容量対向電圧（ＣＳ信号）を与える液晶表示装置において、ＣＳ信号のパターンを変更することができる液晶表示装置の提供。【解決手段】ＣＰＵ５は映像データの同期信号に同期して制御信号をＣＳ信号決定部７に出力する。ＣＳ信号決定部７は、予めＣＳ信号生成部８が補助容量に与えるＣＳ信号のパターンを、例えば、受付部７１でユーザからＣＳ信号のパターンに係る情報を受け付け、受け付けた情報に基づくパターンに決定する。ＣＳ信号生成部８はＣＳ信号決定部７が決定したパターンのＣＳ信号を与える。【選択図】図１
2011247943.tif 000002
【特許請求の範囲】
【請求項１】
複数のレベルの出力値を有して振動する振動信号を生成し、画素に対応する電極に接続された容量に、生成した振動信号を与える振動信号生成部を備え、入力された映像データに基づいて映像を表示する液晶表示装置において、
前記振動信号のパターンを決定するパターン決定部を備え、
前記振動信号生成部は、前記映像データの同期信号に同期して、振動信号を前記容量に与えるようにしてあること
を特徴とする液晶表示装置。
【請求項２】
前記同期信号は、前記映像データの垂直同期信号であること
を特徴とする請求項１に記載の液晶表示装置。
【請求項３】
複数のレベルの出力値を有して振動する振動信号を生成し、画素に対応する電極に接続された容量に、生成した振動信号を与える振動信号生成部を備え、入力される映像データに基づいて映像を表示する液晶表示装置において、
前記振動信号のパターンを決定するパターン決定部と、
前記振動信号のレベルを、前記映像データの同期信号に同期して指示するレベル指示部と
を備え、
前記振動信号生成部は、前記レベル指示部が指示したレベルの振動信号を前記容量に与えるようにしてあること
を特徴とする液晶表示装置。
【請求項４】
前記同期信号は、前記映像データの水平同期信号であること
を特徴とする請求項１又は請求項３に記載の液晶表示装置。
【請求項５】
前記パターン決定部は、
前記振動信号のパターンを決定する情報を受け付ける受付部
を有し、
該受付部が受け付けた情報に基づいて、前記振動信号のパターンを決定するように構成されていること
を特徴とする請求項１から請求項４のいずれか１つに記載の液晶表示装置。
【請求項６】
前記パターン決定部は、
前記振動信号の複数のパターンを記憶する記憶部と、
該記憶部が記憶している前記パターンからの１つのパターンの選択を受け付ける選択受付部と
を有し、
前記振動信号のパターンを前記選択受付部が受け付けた選択に係るパターンに決定すること
を特徴とする請求項１から請求項４のいずれか１つに記載の液晶表示装置。
【請求項７】
前記パターン決定部は、
前記振動信号の複数のパターンを記憶する記憶部と、
該記憶部が記憶している前記パターンからの複数のパターンの選択と選択された複数のパターンを出力する順序とを受け付ける選択受付部と
を有し、
前記振動信号のパターンを、前記選択受付部が受け付けた選択と順序とに従って決定するように構成されていること
を特徴とする請求項１、請求項２、又は請求項４のいずれか１つに記載の液晶表示装置。
【請求項８】
前記振動信号が有する出力値のレベルは２値であること
を特徴とする請求項１から請求項７のいずれか１つに記載の液晶表示装置。
【発明の詳細な説明】
【技術分野】
【０００１】
本発明は、液晶表示装置に関し、特に大型又は高精細の液晶表示装置に関する。
【背景技術】
【０００２】
液晶表示装置は、高精細、薄型、軽量、及び低消費電力等の優れた特長を有する平面表示装置であり、薄型テレビ、パソコンモニタ、デジタルサイネージ等に幅広く利用される。また、液晶表示装置は、二酸化炭素の排出量が小さい低消費電力の表示装置であることから、地球温暖化の抑制に寄与する。
【０００３】
従来、液晶表示装置は、ＴＮ（Twisted Nematic）モードが一般的であった。ＴＮモードの液晶表示装置は、生産マージンが広く、生産性に優れている一方、表示性能、とりわけ視野角特性の点で問題があった。ＴＮモードの液晶表示装置を斜め方向から観測した場合、ＴＮモードの液晶表示装置はコントラスト比が著しく低下し、階調間の輝度差が著しく不明瞭になり、表示の階調特性が反転する。階調特性が反転した場合、正面から観測し明るかった部分は斜め方向から観測されると暗くなる。
【０００４】
これらの視野角特性の問題を改善する液晶表示装置として、ＩＰＳ（In-Plan Switching）モード、ＶＡ（Vertical Alignment）モード等の液晶表示装置が挙げられる。これらの液晶表示装置に用いられた技術は、視野角特性を改善する技術として一般的に利用されている。
【０００５】
更に、視野角特性の問題としてγ特性の視野角依存性がある。γ特性は表示輝度の階調依存性である。観測方向が正面方向のγ特性と斜め方向のγ特性とが異なることは階調表示状態が観測方向によって異なることを意味する。γ特性の視野角依存性は、液晶表示装置が写真等の画像を表示する場合又は液晶表示装置がテレビ放送等を受信し表示する場合に特に問題となる。
【０００６】
γ特性の視野角依存性を改善する液晶表示装置が特許文献１に開示されている。特許文献１に記載の液晶表示装置は、画素が複数の副画素によって構成され、夫々の副画素に補助容量（ＣＳ）が設けられ、ノーマリブラックモードで表示する液晶表示装置である。補助容量は各副画素の電極に電気的に接続された補助容量電極と、絶縁層と、絶縁層を介して補助容量電極と対向する補助容量対向電極とを備える。
【０００７】
特許文献１に記載の液晶表示装置では、画素を構成する複数の副画素において、複数の補助容量対向電極は夫々電気的に独立しており、夫々の補助容量対向電極に位相が異なる振動電圧（補助容量対向電圧）を印加する。補助容量対向電圧が補助容量対向電極によって異なることによって、複数の副画素の液晶層に夫々印加される実効電圧を変えることができる。この場合、異なるγ特性が混合された状態で画素が観測されるので、γ特性の視野角依存性は改善される。
【０００８】
特許文献１に記載の液晶表示装置では、表示パネルが高精細になると補助容量対向電圧の振動周期が短くなり、表示パネルが大型になると表示パネル上での補助容量対向電圧の伝搬距離が長くなる。この場合、補助容量対向電極の負荷インピーダンスによる波形劣化の影響が大きくなる。この問題は補助容量対向電圧の振動周期を長くすることで改善することができる。しかし、単純に補助容量対向電圧の振動周期を長くすると面積階調表示パネルの必須要件を満たすことができず、表示品位が低下する。
【０００９】
補助容量対向電圧の振動周期を長くしても、表示品位が低下しない液晶表示装置は特許文献２に開示されている。また、特許文献２に記載の液晶表示装置では、補助容量対向電圧の振動周期を長くした場合に生じる振動周期と垂直走査期間との不整合についても言及している。垂直走査期間が振動周期のＮ倍（Ｎは自然数）でない場合、垂直走査期間のつながりの部分で補助容量対向電圧の振動周期が乱れ、映像では明るい画素行と暗い画素行とが周期的に現れ、表示品位を著しく低下させる。垂直走査期間は、ある走査線が選択され、次にその走査線が選択されるまでの期間と定義されている。
【００１０】
特許文献２では、垂直走査期間内の補助容量対向電圧は振動周期の異なる２波によって構成される。映像データの垂直走査期間は、映像を表示する有効走査期間と映像を表示しない垂直帰線期間とから構成される。垂直帰線期間は信号処理のための期間である。特許文献２では、垂直帰線期間に補助容量対向電極に印加される一部の電圧波形の周期を変更することによって、補助容量対向電圧の振動周期と垂直走査期間との整合性をとっている。
【先行技術文献】
【特許文献】
【００１１】
【特許文献１】特開２００４−６２１４６号公報
【特許文献２】国際公開第２００６／０７０８２９号パンフレット
【発明の概要】
【発明が解決しようとする課題】
【００１２】
しかしながら、特許文献２に記載の液晶表示装置が製造される場合、設計通りの周期で補助容量対向電圧（振動信号、ＣＳ信号ともいう）が出力されるとは限らない。補助容量対向電圧（振動信号）がハードウェアで予め設定されており、液晶表示装置の製造後、補助容量対向電圧（振動信号）の周期が設計通りでなかった場合、液晶表示装置が製造された後に周期を調整することができないという問題がある。この場合、スジ等が画面に映り、表示品位が劣化するため、液晶表示装置を出荷することができず、製造費用が増大する。
【００１３】
本発明は斯かる事情に鑑みてなされたものであり、その目的は、画素に対応する電極に接続された補助容量に複数のレベルの出力値を有して振動する補助容量対向電圧（振動信号）を与える液晶表示装置において、補助容量対向電圧のパターンを変更することができる液晶表示装置を提供することである。
【課題を解決するための手段】
【００１４】
本発明に係る液晶表示装置は、複数のレベルの出力値を有して振動する振動信号を生成し、画素に対応する電極に接続された容量に、生成した振動信号を与える振動信号生成部を備え、入力された映像データに基づいて映像を表示する液晶表示装置において、前記振動信号のパターンを決定するパターン決定部を備え、前記振動信号生成部は、前記映像データの同期信号に同期して、振動信号を前記容量に与えるようにしてあることを特徴とする。
【００１５】
本発明に係る液晶表示装置にあっては、振動信号生成部を備え、入力される映像データに基づいて映像を表示する。振動信号生成部は、複数のレベルの出力値を有して振動する振動信号を生成し、画素に対応する電極に接続された容量に生成した振動信号を与える。パターン決定部は振動信号のパターンを決定する。振動信号生成部は、映像データの同期信号に同期して、振動信号を容量に与える。
【００１６】
本発明に係る液晶表示装置は、前記同期信号は、前記映像データの垂直同期信号であることを特徴とする。
【００１７】
本発明に係る液晶表示装置にあっては、映像データの垂直同期信号に同期して振動信号生成部は生成した振動信号を容量に与える。
【００１８】
本発明に係る液晶表示装置は、複数のレベルの出力値を有して振動する振動信号を生成し、画素に対応する電極に接続された容量に、生成した振動信号を与える振動信号生成部を備え、入力される映像データに基づいて映像を表示する液晶表示装置において、前記振動信号のパターンを決定するパターン決定部と、前記振動信号のレベルを、前記映像データの同期信号に同期して指示するレベル指示部とを備え、前記振動信号生成部は、前記レベル指示部が指示したレベルの振動信号を前記容量に与えるようにしてあることを特徴とする。
【００１９】
本発明に係る液晶表示装置にあっては、振動信号生成部を備え、入力される映像データに基づいて映像を表示する。振動信号生成部は、複数のレベルの出力値を有して振動する振動信号を生成し、画素に対応する電極に接続された容量に生成した振動信号を与える。パターン決定部は振動信号のパターンを決定する。レベル指示部は、振動信号のレベルを映像データの同期信号に同期して指示する。振動信号生成部は、レベル指示部が指示したレベルの振動信号を容量に与える。
【００２０】
本発明に係る液晶表示装置は、前記同期信号は、前記映像データの水平同期信号であることを特徴とする。
【００２１】
本発明に係る液晶表示装置にあっては、映像データの水平同期信号に同期して振動信号生成部は生成した振動信号を容量に与える。
【００２２】
本発明に係る液晶表示装置は、前記パターン決定部は、前記振動信号のパターンを決定する情報を受け付ける受付部を有し、該受付部が受け付けた情報に基づいて、前記振動信号のパターンを決定するように構成されていることを特徴とする。
【００２３】
本発明に係る液晶表示装置にあっては、パターン決定部は受付部を有する。受付部は振動信号のパターンを決定する情報を受け付ける。パターン決定部は、受付部が受け付けた情報に基づいて振動信号のパターンを決定する。
【００２４】
本発明に係る液晶表示装置は、前記パターン決定部は、前記振動信号の複数のパターンを記憶する記憶部と、該記憶部が記憶している前記パターンからの１つのパターンの選択を受け付ける選択受付部とを有し、前記振動信号のパターンを前記選択受付部が受け付けた選択に係るパターンに決定することを特徴とする。
【００２５】
本発明に係る液晶表示装置にあっては、パターン決定部は記憶部と選択受付部とを有する。記憶部は、振動信号の複数のパターンを記憶する。選択受付部は、記憶部が記憶したパターンからの１つのパターンの選択を受け付ける。パターン決定部は、振動信号のパターンを選択受付部が受け付けた選択に係るパターンに決定する。
【００２６】
本発明に係る液晶表示装置は、前記パターン決定部は、前記振動信号の複数のパターンを記憶する記憶部と、該記憶部が記憶している前記パターンからの複数のパターンの選択と選択された複数のパターンを出力する順序とを受け付ける選択受付部とを有し、前記振動信号のパターンを、前記選択受付部が受け付けた選択と順序とに従って決定するように構成されていることを特徴とする。
【００２７】
本発明に係る液晶表示装置にあっては、パターン決定部は、記憶部と選択受付部とを有する。記憶部は振動信号の複数のパターンを記憶する。選択受付部は、記憶部が記憶しているパターンからの複数のパターンの選択と選択された複数のパターンを出力する順序とを受け付ける。パターン決定部は、振動信号のパターンを、選択受付部が受け付けた選択と順序とに従って決定する。
【００２８】
本発明に係る液晶表示装置は、前記振動信号が有する出力値のレベルは２値であることを特徴とする。
【００２９】
本発明に係る液晶表示装置にあっては、振動信号生成部は２つのレベルの出力値を有して振動する振動信号を生成する。
【発明の効果】
【００３０】
本発明によれば、画素に対応する電極に容量が接続され、容量に、複数のレベルの出力値を有して振動する振動信号を与える液晶表示装置において、振動信号のパターンを変更することができる。
例えば、液晶表示装置の製造後に垂直走査期間と振動信号との間に不整合があり、液晶表示装置の画面にスジ等が表示された場合、振動信号のパターンを変更することによって、垂直走査期間と振動信号とが整合し、スジ等が消え、表示品位を向上させることができる。
【図面の簡単な説明】
【００３１】
【図１】実施の形態１に係る液晶表示装置の要部構成を示すブロック図である。
【図２】液晶パネルの画素を示す構造図である。
【図３】実施の形態１に係るＣＳ信号の一例を示すタイミングチャートである。
【図４】実施の形態１に係るＣＳ信号の他の例を示す他のタイミングチャートである。
【図５】実施の形態２に係る液晶表示装置の要部構成を示すブロック図である。
【図６】実施の形態２に係るＣＳ信号を示すタイミングチャートである。
【図７】実施の形態４に係るＣＳ信号の一例を示すタイミングチャートである。
【図８】実施の形態４に係るＣＳ信号の他の例を示す他のタイミングチャートである。
【発明を実施するための形態】
【００３２】
以下、本発明をその実施の形態を示す図面に基づいて詳述する。
（実施の形態１）
図１は、実施の形態１に係る液晶表示装置１の要部構成を示すブロック図である。液晶表示装置１は、液晶パネル２、映像データ処理部３、ゲート系信号生成部４、ＣＰＵ（Central Processing Unit）５、ＲＯＭ（Read-Only Memory）６、ＣＳ信号決定部７、及びＣＳ信号生成部８を備える。
【００３３】
液晶パネル２は、入力される映像データに基づいて映像を表示する。液晶パネル２は、ノーマリブラックモードで動作するため、電圧が液晶パネル２に印加されない場合、黒で表示される。図２は液晶パネルの画素２０を示す構造図である。画素２０は、２つの副画素２１ａ，２１ｂによって構成される。副画素２１ａ，２１ｂは夫々、液晶層及び液晶層に電圧を印加する複数の電極を有する。副画素２１ａ，２１ｂに夫々、ＴＦＴ（Thin-Film Transistor）２２ａ，２２ｂが接続されている。また、補助容量（特許請求の範囲における容量に該当）２３ａ，２３ｂも夫々、副画素２１ａ，２１ｂに接続されている。更に、補助容量２３ａ，２３ｂは、夫々補助容量配線（ＣＳバスライン）２４ａ，２４ｂに接続されている。
【００３４】
補助容量２３ａ（又は２３ｂ）は、夫々副画素２１ａ（又は２１ｂ）の電極に電気的に接続された補助容量電極と、ＣＳバスライン２４ａ（又は２４ｂ）に電気的に接続された補助容量対向電極と、これらの間に設けられた絶縁層（図示せず）によって形成されている。補助容量２３ａ及び２３ｂの補助容量対向電極は互いに独立しており、夫々ＣＳバスライン２４ａ及び２４ｂから互いに異なるＣＳ信号（特許請求の範囲における振動信号に該当）が供給される。この場合、副画素２１ａ及び２１ｂの電極に印加される実効電圧が互いに異なるため、副画素２１ａ及び２１ｂは互いに異なる輝度で発光する。なお、ＣＳ信号は、２つの信号レベルの出力値を有し、信号レベル間を振動する信号である。
【００３５】
また、ＴＦＴ２２ａ，２２ｂのゲートは、共にゲートライン２５に接続されている。ゲートライン２５から所定の電圧がゲートに印加されることによって、ＴＦＴ２２ａ，２２ｂのスイッチがオンとなる。また、ＴＦＴ２２ａ，２２ｂのソースは、共に信号線２６に接続されている。ＴＦＴ２２ａ（又は２２ｂ）のゲートにゲートライン２５から電圧が印加され、スイッチがオンの場合に、信号線２６を通じて所定の電圧が副画素２１ａ（又は２１ｂ）に印加される。
【００３６】
映像データ処理部３は入力される映像データを処理し、処理した映像データを液晶パネル２の信号線２６に出力する。ゲート系信号生成部４は、入力された映像データの同期信号からゲート系信号を生成し、液晶パネル２のゲートライン２５に出力する。
なお、映像データの同期信号は、水平同期信号又は垂直同期信号である。水平同期信号は、液晶表示装置１で画面を描画する際に、水平方向のタイミングを計るための信号である。また、垂直同期信号は、液晶表示装置１で画面を描画する際に、垂直方向のタイミングを計るための信号である。
【００３７】
ＣＰＵ５は、ＲＯＭ６に記憶されているプログラムをロードし、ロードしたプログラムを実行する。ＣＰＵ５は、入力される映像データの同期信号を受け付け、制御信号を出力する。ＲＯＭ６は、ＣＰＵ５が実行するプログラム等を記憶している。
【００３８】
ＣＳ信号決定部（特許請求の範囲におけるパターン決定部に該当）７は、受付部７１を備える。受付部７１は、外部からレジスタ設定、プログラム等の情報を受け付ける。受付部７１は、後述するＣＳ信号生成部（特許請求の範囲における振動信号生成部に該当）８によって生成されるＣＳ信号のパターンの設定（情報）を受け付ける。これにより、ユーザが希望するＣＳ信号のパターンを受け付ける。ＣＳ信号決定部７は、ＣＰＵ５から制御信号が入力されると、ＣＳ信号のパターンを受付部７１が受け付けた設定に係るパターンに決定する。ＣＳ信号生成部８は、ＣＳ信号決定部７の決定を受け付け、決定されたパターンで振動するＣＳ信号を生成し、生成したＣＳ信号を補助容量２３ａ（又は２３ｂ）に与える。
【００３９】
ＣＳ信号生成部８は、ＣＳ信号を生成し、液晶パネル２のＣＳバスライン２４ａ及び２４ｂに夫々ＣＳ信号を出力する。なお、ＣＳバスライン２４ｂに出力される信号は、通常、ＣＳバスライン２４ａに出力される信号を反転した信号である。
【００４０】
図３は、実施の形態１に係るＣＳ信号の一例を示すタイミングチャートである。ＣＳ信号のパターンの１つに一定の周期で振動する波形がある。ここでは、一定の周期で振動する波形をＣＳ信号のパターンとし、図３では、振動する波形の周期が変更される場合におけるＣＳ信号のタイミングチャートが示されている。
【００４１】
受付部７１は設定Ａ又は設定Ｂの設定をユーザから受け付ける。設定Ａに基づくＣＳ信号の周期は、設定Ｂに基づくＣＳ信号の周期よりも短い。ＣＳ信号生成部８が与えるＣＳ信号が、設定Ａに基づくＣＳ信号から設定Ｂに基づくＣＳ信号となる場合を説明する。ＣＳ信号決定部７は設定Ａの場合、ＣＳ信号生成部８にＨ（High）の電圧を出力し、設定Ｂの場合、ＣＳ信号生成部８にＬ（Low）の電圧を出力する。
【００４２】
ＣＳ信号決定部７は、設定Ａに決定しているため、ＣＳ信号生成部８に電圧Ｈを出力している。受付部７１は設定Ｂをユーザから受け付ける。ＣＰＵ５は、映像データの同期信号（負極性）に同期して、制御信号をＣＳ信号決定部７に出力する。制御信号が入力された際、ＣＳ信号決定部７は、電圧ＬをＣＳ信号生成部８に出力する。ＣＳ信号生成部８は、電圧Ｌが入力された際、設定Ｂに基づくＣＳ信号を生成し、生成したＣＳ信号を補助容量２３ａ（又は２３ｂ）に与える。これにより、ＣＳ信号の周期は、設定Ｂに基づく周期となる。
【００４３】
図４は、実施の形態１に係るＣＳ信号の他の例を示す他のタイミングチャートである。ここで、ハイレベル及びローレベルの出力値を有して周期の異なる複数の波形が組み合わさった波形をＣＳ信号のパターンとしている。波形は、図４に示す波形Ｐａ又はＰｂに決められており、ＣＳ信号は波形Ｐａ又はＰｂを繰り返し出力する。図４では、波形がＰａからＰｂに変更されるタイミングチャートが示されている。
【００４４】
設定Ａに基づくＣＳ信号は、波形Ｐａを繰り返す信号であり、設定Ｂに基づくＣＳ信号は、波形Ｐｂを繰り返す信号である。予めＣＳ信号生成部８が設定Ａに基づくＣＳ信号を与えており、受付部７１が設定Ｂを受け付けた場合、ＣＰＵ５は映像データの同期信号に同期して制御信号をＣＳ信号決定部７に出力する。ＣＳ信号決定部７は電圧ＬをＣＳ信号生成部８に出力し、ＣＳ信号生成部８は設定Ｂに基づくＣＳ信号を補助容量２３ａ（又は２３ｂ）に与える。
これにより、映像データの同期信号に同期して、ＣＳ信号生成部８が補助容量２３ａ（又は２３ｂ）に与えるＣＳ信号が波形Ｐａを繰り返す信号から波形Ｐｂを繰り返す信号に変更される。
【００４５】
なお、受付部７１で受け付ける設定は、上述の設定Ａ及びＢの２種類に限定されない。３種類以上の設定の中から１種類の設定を受け付けても良い。
【００４６】
実施の形態１に係る液晶表示装置にあっては、映像データの同期信号に同期して、ＣＳ信号生成部８が補助容量２３ａ（又は２３ｂ）に与えるＣＳ信号のパターンを、ＣＳ信号決定部７によって決定されたＣＳ信号のパターンに変更することができる。
例えば、製造された液晶表示装置１が、垂直走査期間とＣＳ信号との不整合によって、スジなどの表示品位の劣化を生じていた場合、ＣＳ信号のパターンを変更することによって、不整合を解消し、スジをなくすことで表示品位を向上させることができる。
【００４７】
実施の形態１に係る液晶表示装置にあっては、ＣＳ信号生成部８は映像データの垂直同期信号に同期して、ＣＳ信号を補助容量２３ａ（又は２３ｂ）与えることができる。従って、垂直走査期間（垂直同期信号の間隔）に渡って、ＣＳ信号のパターンを変更することができる。
【００４８】
実施の形態１に係る液晶表示装置にあっては、ＣＳ信号生成部８は映像データの水平同期信号に同期して、ＣＳ信号を補助容量２３ａ（又は２３ｂ）与えることができる。従って、水平走査期間（水平同期信号の間隔）に渡って、ＣＳ信号のパターンを変更することができる。
【００４９】
実施の形態１に係る液晶表示装置にあっては、受付部７１は、ユーザが設定Ａ又はＢを設定することによって、ユーザからＣＳ信号のパターンの設定（情報）を受け付ける。ＣＳ信号設定部７は、ＣＳ信号生成部８が生成するＣＳ信号のパターンを受付部７１が受け付けた設定に基づくパターンに変更する。従って、ＣＳ信号のパターンをユーザが希望するパターンに変更することができる。
【００５０】
（実施の形態２）
図５は、実施の形態２に係る液晶表示装置９の要部構成を示すブロック図である。液晶表示装置９は、液晶パネル２、映像データ処理部３、ゲート系信号生成部４、ＣＰＵ５、ＲＯＭ６、ＣＳ信号決定部７ａ、及びＣＳ信号生成部８を備える。
なお、ＣＳ信号決定部７ａを除く他の構成要素は、液晶表示装置１（図１参照）と同様であるため、同じ符号を付して、説明を省略する。
【００５１】
ＣＳ信号決定部７ａは、ＣＰＵ５から制御信号が入力された場合、ＣＳ信号のパターンを決定する。ＣＳ信号決定部７ａは、受付部７２及び記憶部７３を備える。
なお、映像データの同期信号は、液晶表示装置１と同様に、水平同期信号又は垂直同期信号である。
【００５２】
受付部７２は、外部からレジスタ設定、プログラム等の情報を受け付ける。記憶部７３は、ＣＳ信号の複数のパターンを記憶している。受付部７２は、記憶部７３に記憶されている複数のパターンからの１つのパターンの選択（情報）をユーザから受け付ける。
【００５３】
図６は、実施の形態２に係るＣＳ信号を示すタイミングチャートである。ここで、記憶部７３はパターン１及び２を記憶しているとする。パターン１に基づくＣＳ信号は、１４ｈ（ｈ：水平走査期間）のハイレベル、１４ｈのローレベル、１２ｈのハイレベル、１２ｈのローレベル、１４ｈのハイレベルを繰り返す。パターン２に基づくＣＳ信号は、１２ｈのローレベル、１４ｈのハイレベル、１４ｈのローレベル、１２ｈのハイレベル、１４ｈのローレベルを繰り返す。
ＣＳ信号生成部８がパターン１に基づくＣＳ信号を補助容量２３ａ（又は２３ｂ）に与えており、ＣＳ信号決定部７ａによって、ＣＳ信号がパターン２に基づくＣＳ信号に変更される場合を説明する。なお、ＣＰＵ５は映像データの垂直同期信号が入力された場合に制御信号を出力するものとする。
【００５４】
受付部７２は、記憶部７３に記憶されるパターン１及び２から、パターン２の選択をユーザから受け付ける。ＣＳ信号決定部７ａは、ＣＰＵ５から制御信号を受け付けると、図６に示すように、ＣＳ信号生成部８が与えているパターン１に基づくＣＳ信号をパターン２に基づくＣＳ信号に変更する。受付部７２が、次にユーザからパターン１の選択を受け付けるまで、ＣＳ信号生成部８は、パターン２に基づくＣＳ信号を与え続ける。
【００５５】
なお、記憶部７３が記憶するパターンは上述したパターン１及び２の２種類に限定されない。３種類以上のパターンを記憶しても良い。
【００５６】
実施の形態２に係る液晶表示装置にあっては、記憶部７３は、ＣＳ信号生成部８が生成する複数のＣＳ信号のパターンを記憶している。受付部７２は、複数のパターンからの１つのパターンの選択を受け付ける。ＣＳ信号決定部７ａは、選択されたパターンにＣＳ信号のパターンを決定する。これにより、ユーザは、ＣＳ信号のパターンの変更を容易にすることができる。
【００５７】
実施の形態２に係る液晶表示装置にあっては、実施の形態１に係る液晶表示装置と同様に、ＣＳ信号生成部８は映像データの垂直同期信号又は水平同期信号に同期して、ＣＳ信号を補助容量２３ａ（又は２３ｂ）与えることができる。従って、垂直走査期間又は水平同期期間に渡って、ＣＳ信号のパターンを変更することができる。
【００５８】
（実施の形態３）
実施の形態３に係る液晶表示装置の構成要素は、実施の形態２に係る液晶表示装置９（図５参照）と同じである。ただし、ＣＳ信号の生成手法が実施の形態２と異なるので、これを説明する。
【００５９】
受付部７２は、ユーザから記憶部７３に記憶されている複数のパターンからの複数のパターンの選択と選択された複数のパターンを出力する順序とをユーザから受け付ける。
【００６０】
ＣＳ信号決定部７ａは、受付部７２が受け付けた選択と順序とに従って、制御信号を受け付けるごとにＣＳ信号のパターンを決定する。従って、ＣＳ信号生成部８は、選択された複数のパターンに基づくＣＳ信号を、受け付けた順序に従って補助容量２３ａ（又は２３ｂ）に与える。
【００６１】
例えば、受付部７２にてユーザがパターン１及び２（図６参照）を選択し、出力する順序をパターン１、２とした場合、ＣＳ信号決定部７ａは、ＣＳ信号のパターンをパターン１及び２と繰り返し決定し、ＣＳ信号生成部８はパターン１及び２に基づくＣＳ信号を繰り返し与える。これにより、連続する２つの垂直走査期間に渡ってＣＳ信号のパターンが変更される。
【００６２】
なお、受付部７２にてユーザが選択できるパターンは２つに限定されない。受付部７２にて３つ以上のパターンが選択され、連続する３つ以上の垂直走査期間に渡ってＣＳ信号のパターンが変更されても良い。
【００６３】
実施の形態３に係る液晶表示装置にあっては、記憶部７３が複数のパターンを記憶しており、受付部７２は、記憶部７３が記憶している複数のパターンからの複数のパターンの選択と選択されたパターンに係るＣＳ信号を出力する順序とを受け付ける。ＣＳ信号決定部７ａは、選択及び順序に基づいてＣＳ信号のパターンを決定し、ＣＳ信号生成部８は、選択及び順序に従ってＣＳ信号を補助容量２３ａ（又は２３ｂ）に与える。このため、ＣＳ信号を複数の同期期間に渡って変更することができる。
【００６４】
実施の形態３に係る液晶表示装置の構成は、実施の形態１又は２に係る液晶表示装置の構成と同様であるため、同じ符号を付し、その詳細な説明を省略している。
【００６５】
（実施の形態４）
実施の形態４に係る液晶表示装置の構成要素は、実施の形態１に係る液晶表示装置１（図１参照）と同じである。ただし、ＣＳ信号の生成手法が実施の形態１と異なるので、これを説明する。
ここで、ＣＰＵ５は、映像データの水平同期信号に同期して制御信号を出力し、水平走査期間を１ｈとする。ここでは、一定の周期で振動する波形をＣＳ信号のパターンとしている場合を述べる。
【００６６】
受付部７１は、ＣＳ信号のパターンを決定する情報を受け付ける。受付部７１が、受け付けた情報に基づいて決定されるＣＳ信号のパターンの周期は、２Ｎｈ（Ｎは自然数）である。ＣＳ信号決定部（特許請求の範囲におけるパターン決定部及びレベル指示部に該当）７は受付部７１が受け付けた情報に基づく周期をＣＳ信号の周期に決定し、決定したパターンに従って、ＣＳ信号生成部８が補助容量２３ａ（又は２３ｂ）に与える信号レベル（ハイレベル又はローレベル）を決定する。ＣＳ信号生成部８は、ＣＳ信号決定部７が決定した信号レベルを与える。
【００６７】
図７は、実施の形態４に係るＣＳ信号の一例を示すタイミングチャートである。ＣＳ信号は一定の周期で振動する波形である。受付部７１で受け付けた情報に基づくＣＳ信号の周期は２ｈとする。ＣＳ信号決定部７は、１ｈ毎に制御信号を受け付ける。従って、ＣＳ信号の周期を２ｈとする場合、ＣＳ信号決定部７は、制御信号を受け付けるごとにＣＳ信号生成部８が与える信号レベルを、ハイレベルを与えているならばローレベルに、ローレベルを与えているならばハイレベルに決定する。これにより、ＣＳ信号生成部８は、図７に示すような周期２ｈのＣＳ信号を与える。
【００６８】
また、受付部７１が受け付けた情報に基づくＣＳ信号の周期が２Ｎｈ（Ｎは自然数）である場合、ＣＳ信号決定部７は、制御信号をＮ回受け付けるごとに、ＣＳ信号生成部８が与えている信号レベルと異なる信号レベルに決定すれば良い。
【００６９】
なお、受付部７１が受け付ける情報に基づくＣＳ信号のパターンは、一定の周期で振動する波形に限定されない。受付部７１にて、所定の期間のパターンに係る情報を受け付けても良い。
【００７０】
図８は、実施の形態４に係るＣＳ信号の他の例を示す他のタイミングチャートである。ここでは、受付部７１にて、期間１０ｈのパターンに係る情報を受け付けている。図８に示すように、受付部７１は、ＣＳ信号のパターンが振動周期２ｈで振動する振動波形と振動周期４ｈで振動する波形とを組み合わせたパターンに決定される情報をユーザから受け付ける。ＣＳ信号決定部７は、受け付けた情報に基づいて、ＣＳ信号生成部８が与える信号レベルを決定する。
これにより、ＣＳ信号生成部８は、周期の異なる振動波形が組み合わさった波形を繰り返し与える。
【００７１】
また、ＣＳ信号決定部７は、実施の形態２で説明した記憶部７３を更に有し、受付部７１は、記憶部７３が記憶している複数のＣＳ信号のパターンからの１つのパターンの選択（情報）を受け付けても良い。この場合、ＣＳ信号決定部７は、ＣＳ信号のパターンを受付部７１が受け付けた選択に係るパターンに決定する。
【００７２】
実施の形態４に係る液晶表示装置にあっては、ＣＳ信号決定部７は、ＣＳ信号生成部８が生成するＣＳ信号のパターンを決定し、映像データの同期信号に同期して、決定したパターンに従ってＣＳ信号生成部８が補助容量２３ａ（又は２３ｂ）に与える信号レベルを指示する。ＣＳ信号生成部８は指示された信号レベルを与える。これにより、ＣＳ信号のパターンをＣＳ信号決定部７が決定したパターンに変更することができる。
【００７３】
実施の形態４に係る液晶表示装置にあっては、ＣＳ信号決定部７はＣＳ信号生成部８が与える信号レベルを、映像データの水平同期信号に同期してＣＳ信号生成部８に指示する。これにより、水平走査期間の単位でＣＳ信号のパターンを変更することができる。
【００７４】
実施の形態４に係る液晶表示装置にあっては、ＣＳ信号決定部７は受付部７１を有し、受付部７１はユーザからＣＳ信号のパターンに係る情報を受け付ける。ＣＳ信号決定部７は受付部７１が受け付けた情報に基づくパターンにＣＳ信号生成部８が生成するＣＳ信号のパターンを決定する。従って、ユーザが希望するパターンで、ＣＳ信号生成部８はＣＳ信号を補助容量２３ａ（又は２３ｂ）に与えることができる。
【００７５】
実施の形態４に係る液晶表示装置にあっては、ＣＳ信号決定部７は記憶部７３と受付部７１とを有する。記憶部７３は複数のＣＳ信号のパターンを記憶している。受付部７１は、記憶部７３が記憶している複数のＣＳ信号のパターンからの１つのパターンの選択をユーザから受け付ける。ＣＳ信号決定部７は、ＣＳ信号生成部８が生成するＣＳ信号のパターンを、受付部７１が受け付けた選択に係るパターンに決定する。従って、補助容量２３ａ（又は２３ｂ）に与えられるＣＳ信号のパターンをユーザが選択したパターンに変更することができる。
【００７６】
実施の形態４に係る液晶表示装置の要部構成は、実施の形態１又は２に係る液晶表示装置の構成と同様であるため、同じ符号を付し、その詳細な説明を省略している。
【００７７】
なお、液晶パネル２はノーマリブラックモードに限定されない。補助容量２３ａ（又は２３ｂ）にＣＳ信号を与えることを必要とする場合であれば、液晶パネル２はノーマリホワイトモード（電圧が液晶パネル２に印加されない場合に白で表示するモード）であっても良い。
更に、画素２０を構成する副画素は、２１ａ及び２１ｂの２つに限定されない。画素２０は、３以上の副画素によって構成されていても良い。
【００７８】
ＣＳ信号の信号レベルは、ハイレベル及びローレベルに限定されない。ＣＳ信号は、複数の信号レベルの出力値を有して複数の信号レベル間を振動する信号であってもよい。だだし、この場合、例えば、特許文献１に示されるようなγ特性を良好にする条件を満たしている必要がある。
【符号の説明】
【００７９】
１，９  液晶表示装置
２０  画素
７，７ａ  ＣＳ信号決定部
７１，７２  受付部
７３  記憶部
８  ＣＳ信号生成部
【図１】
2011247943.tif 000003
【図２】
2011247943.tif 000004
【図３】
2011247943.tif 000005
【図４】
2011247943.tif 000006
【図５】
2011247943.tif 000007
【図６】
2011247943.tif 000008
【図７】
2011247943.tif 000009
【図８】
2011247943.tif 000010